(57)【要約】【課題】機密文書等のコピー等に対するセキュリティを確保しながら、機密性のない情報についてまでコピー等が制限されることのない、使い勝手の良い画像処理装置を提供する。【解決手段】第１の情報が書き込まれた複数個のＩＣタグ６１からなる第１のＩＣタグ群Ａと、第２の情報が書き込まれた複数個のＩＣタグ６１からなる第２のＩＣタグ群Ｂとが付着された原稿が用いられる。第１のＩＣタグ群Ａに属する複数のＩＣタグ６１のうち少なくとも１つのＩＣタグから、第１の情報が読み取られた場合には、この第１の情報が出力手段１０から出力される。一方、第２のＩＣタグ群Ｂに属する複数のＩＣタグ６１の全てから、第２の情報が読み取られた場合にのみ、第２の情報が前記出力手段１０から出力される。【選択図】    図８
2007199535.tif 000002
【特許請求の範囲】
【請求項１】
第１の情報が書き込まれた複数個のＩＣタグからなる第１のＩＣタグ群と、第２の情報が書き込まれた複数個のＩＣタグからなる第２のＩＣタグ群とが付着された原稿の前記ＩＣタグの前記第１、第２の情報を読み取る読み取り手段と、
前記読み取り手段により、前記第１のＩＣタグ群に属する少なくとも１つのＩＣタグから、前記第１の情報が読み取られたか否かを判別するとともに、前記第２のＩＣタグ群に属する全てのＩＣタグから、前記第２の情報が読み取られたか否かを判別する判別手段と、
前記第１の情報及び第２の情報を出力可能な出力手段と、
前記判別手段により、前記第１のＩＣタグ群に属する少なくとも１つのＩＣタグから、前記第１の情報が読み取られたと判断された場合には、前記第１の情報を前記出力手段に出力させ、前記第２のＩＣタグ群に属する全てのＩＣタグから、前記第２の情報が読み取られたと判断された場合にのみ、前記第２の情報を前記出力手段に出力させる出力制御手段と、
を備えていることを特徴とする画像処理装置。
【請求項２】
第１の情報及び第２の情報が書き込まれたＩＣタグの複数個が付着された原稿の前記ＩＣタグの前記第１、第２の情報を読み取る読み取り手段と、
前記読み取り手段により、少なくとも１つのＩＣタグから前記第１の情報が読み取られたか否かを判別するとともに、全てのＩＣタグから前記第２の情報が読み取られたか否かを判別する判別手段と、
前記読み取られた第１の情報及び第２の情報を出力可能な出力手段と、
前記判別手段により、少なくとも１つのＩＣタグから前記第１の情報が読み取られたと判断された場合には、前記第１の情報を前記出力手段に出力させ、全てのＩＣタグから前記第２の情報が読み取られたと判断された場合にのみ、前記第２の情報を前記出力手段に出力させる出力制御手段と、
を備えていることを特徴とする画像処理装置。
【請求項３】
前記第１の情報の出力を許可されたユーザかどうかを判別するユーザ判別手段を備え、
第１の情報の出力を許可されたユーザである場合にのみ、前記出力制御手段は前記第１の情報を出力手段に出力させる請求項１または２に記載の画像処理装置。
【請求項４】
前記第２の情報の出力を許可されたユーザかどうかを判別するユーザ判別手段を備え、
第２の情報の出力を許可されたユーザである場合にのみ、前記出力制御手段は前記第２の情報を出力手段に出力させる請求項１ないし３のいずれかに記載の画像処理装置。
【請求項５】
前記ＩＣタグに書き込まれた第２の情報は暗号化されている請求項１ないし４のいずれかに記載の画像処理装置。
【請求項６】
複数個のＩＣタグが付着された用紙における前記ＩＣタグのうち、２つ以上のＩＣタグに第１の情報を書き込むと共に、第１の情報が書き込まれるＩＣタグと同じまたは異なる、２つ以上のＩＣタグに第２の情報を書き込む書き込み手段と、
前記ＩＣタグに書き込まれた第１の情報及び第２の情報を用紙に出力する出力手段と、
を備えたことを特徴とする画像処理装置。
【請求項７】
複数個のＩＣタグが付着された用紙における前記各ＩＣタグのそれぞれに、第１の情報及び第２の情報を書き込む書き込み手段と、
前記ＩＣタグに書き込まれた第１の情報及び第２の情報を用紙に出力する出力手段と、
を備えたことを特徴とする画像処理装置。
【請求項８】
前記書き込み手段は、前記第２の情報を暗号化してＩＣタグに書き込む請求項６または７に記載の画像処理装置。
【発明の詳細な説明】
【技術分野】
【０００１】
この発明は、コピー機能、プリンタ機能、スキャン機能、ファクシミリ機能等を有する多機能画像形成装置であるＭＦＰ（Multi Function Peripherals) などに適用される画像処理装置に関する。
【背景技術】
【０００２】
上記ＭＦＰ等の画像処理装置により原稿をコピーする場合、従来では、それがどのような原稿であってもコピーすることが可能であった。例えば、一部が破損欠落した機密文書を第三者が入手したような場合、この第三者は制限無くコピーすることが可能であった。このため、機密文書のコピーなどを制限して、セキュリティを向上した画像処理装置の提供が望まれているが、セキュリティを厳格にし過ぎると、機密文書等でない原稿の一部が破損欠落したような場合であっても、コピーなどが禁止されてしまい、却って使い勝手が悪くなる。
【０００３】
なお、特許文献１には、複数枚からなる印刷物を作成する場合に、一組の出力のうちランダムに決定した１ページにのみ無線タグを埋め込んだ用紙を使用して印刷すると共に、埋め込まれた無線タグと印刷された文書とを対応付けて記憶しておき、この文書を複製する時には、読み出した無線タグの内容と、先に記憶した無線タグとが同一か否かを判断して、複製の禁止や配布先を管理することが開示されている。
【０００４】
また、特許文献２には、印字用紙にＩＣタグを付着し、複写機に、原稿のＩＣタグの情報を読み取るための読み取り装置を設けると共に、印字用紙のＩＣタグに情報を書き込むための書き込み装置を設け、印字用紙に視認情報を印字すると共に、デジタルデータとしてＩＣタグに書き込むことが開示されている。
【特許文献１】特開２００５−３５０９５号公報
【特許文献２】特開２００２−３３７４２６号公報
【発明の開示】
【発明が解決しようとする課題】
【０００５】
しかし、上記各特許文献に記載された技術では、第三者による機密文書等のコピー等に対するセキュリティを確保しながら、コピーされても良い部分までコピー等が禁止されることによる使い勝手の悪化を防止する要求に対して、十分に対応することができなかった。
【０００６】
この発明は、このような事情に鑑みてなされたものであって、機密文書等のコピー等に対するセキュリティを確保しながら、機密性のない情報についてまでコピー等が制限されることのない、使い勝手の良い画像処理装置の提供を課題とする。
【課題を解決するための手段】
【０００７】
上記課題は、以下の手段によって解決される。
【０００８】
（１）第１の情報が書き込まれた複数個のＩＣタグからなる第１のＩＣタグ群と、第２の情報が書き込まれた複数個のＩＣタグからなる第２のＩＣタグ群とが付着された原稿の前記ＩＣタグの前記第１、第２の情報を読み取る読み取り手段と、前記読み取り手段により、前記第１のＩＣタグ群に属する少なくとも１つのＩＣタグから、前記第１の情報が読み取られたか否かを判別するとともに、前記第２のＩＣタグ群に属する全てのＩＣタグから、前記第２の情報が読み取られたか否かを判別する判別手段と、前記第１の情報及び第２の情報を出力可能な出力手段と、前記判別手段により、前記第１のＩＣタグ群に属する少なくとも１つのＩＣタグから、前記第１の情報が読み取られたと判断された場合には、前記第１の情報を前記出力手段に出力させ、前記第２のＩＣタグ群に属する全てのＩＣタグから、前記第２の情報が読み取られたと判断された場合にのみ、前記第２の情報を前記出力手段に出力させる出力制御手段と、を備えていることを特徴とする画像処理装置。
【０００９】
（２）第１の情報及び第２の情報が書き込まれたＩＣタグの複数個が付着された原稿の前記ＩＣタグの前記第１、第２の情報を読み取る読み取り手段と、前記読み取り手段により、少なくとも１つのＩＣタグから前記第１の情報が読み取られたか否かを判別するとともに、全てのＩＣタグから前記第２の情報が読み取られたか否かを判別する判別手段と、前記読み取られた第１の情報及び第２の情報を出力可能な出力手段と、前記判別手段により、少なくとも１つのＩＣタグから前記第１の情報が読み取られたと判断された場合には、前記第１の情報を前記出力手段に出力させ、全てのＩＣタグから前記第２の情報が読み取られたと判断された場合にのみ、前記第２の情報を前記出力手段に出力させる出力制御手段と、を備えていることを特徴とする画像処理装置。
【００１０】
（３）前記第１の情報の出力を許可されたユーザかどうかを判別するユーザ判別手段を備え、第１の情報の出力を許可されたユーザである場合にのみ、前記出力制御手段は前記第１の情報を出力手段に出力させる前項１または２に記載の画像処理装置。
【００１１】
（４）前記第２の情報の出力を許可されたユーザかどうかを判別するユーザ判別手段を備え、第２の情報の出力を許可されたユーザである場合にのみ、前記出力制御手段は前記第２の情報を出力手段に出力させる前項１ないし３のいずれかに記載の画像処理装置。
【００１２】
（５）前記ＩＣタグに書き込まれた第２の情報は暗号化されている前項１ないし４のいずれかに記載の画像処理装置。
【００１３】
（６）複数個のＩＣタグが付着された用紙における前記ＩＣタグのうち、２つ以上のＩＣタグに第１の情報を書き込むと共に、第１の情報が書き込まれるＩＣタグと同じまたは異なる、２つ以上のＩＣタグに第２の情報を書き込む書き込み手段と、前記ＩＣタグに書き込まれた第１の情報及び第２の情報を用紙に出力する出力手段と、を備えたことを特徴とする画像処理装置。
【００１４】
（７）複数個のＩＣタグが付着された用紙における前記各ＩＣタグのそれぞれに、第１の情報及び第２の情報を書き込む書き込み手段と、前記ＩＣタグに書き込まれた第１の情報及び第２の情報を用紙に出力する出力手段と、を備えたことを特徴とする画像処理装置。
【００１５】
（８）前記書き込み手段は、前記第２の情報を暗号化してＩＣタグに書き込む前項６または７に記載の画像処理装置。
【発明の効果】
【００１６】
前項（１）に記載の発明によれば、原稿に付着された第１のＩＣタグ群に属する複数のＩＣタグのうち少なくとも１つのＩＣタグから、第１の情報が読み取られた場合には、この第１の情報が出力手段から出力される。一方、第２のＩＣタグ群に属する複数のＩＣタグの全てから、第２の情報が読み取られた場合にのみ、第２の情報が前記出力手段から出力される。
【００１７】
このため、機密情報等は第２の情報として第２のＩＣタグ群に属するＩＣタグに書き込んでおくことにより、一部が破損欠落したような機密性の高い原稿を第三者が入手したとしても、第２のＩＣタグ群に属する全てのＩＣタグから第２の情報が読み取れない限り、第２の情報は出力されないから、セキュリティを向上することができる。一方、機密性のない情報は第１の情報として第１のＩＣタグ群に属するＩＣタグに書き込んでおくことにより、少なくとも１つのＩＣタグから第１の情報が読み取られると出力されるから、機密性の低い情報についてまで出力が制限される煩わしさを解消でき、使い勝手の良い画像処理装置となしうる。
【００１８】
前項（２）に記載の発明によれば、原稿に付着された複数のＩＣタグのうち少なくとも１つから、第１の情報が読み取られた場合には、この第１の情報が出力手段から出力される。一方、ＩＣタグの全てから第２の情報が読み取られた場合にのみ、第２の情報が前記出力手段から出力される。
【００１９】
このため、機密情報等は第２の情報として各ＩＣタグに書き込んでおくことにより、一部が破損欠落したような機密性の高い原稿を第三者が入手したとしても、全てのＩＣタグから第２の情報が読み取れない限り、第２の情報は出力されないから、セキュリティを向上することができる。一方、機密性の低い情報は第１の情報として各ＩＣタグに書き込んでおくことにより、少なくとも１つのＩＣタグから第１の情報が読み取られると出力されるから、機密性のない情報についてまで出力が制限される煩わしさを解消でき、使い勝手の良い画像処理装置となしうる。
【００２０】
前項（３）に記載の発明によれば、第１の情報の出力を許可されたユーザである場合にのみ、第１の情報が出力されるから、さらにセキュリティを高めることができる。
【００２１】
前項（４）に記載の発明によれば、第２の情報の出力を許可されたユーザである場合にのみ、第２の情報が出力されるから、さらにセキュリティを高めることができる。
【００２２】
前項（５）に記載の発明によれば、ＩＣタグに書き込まれた第２の情報は暗号化されているから、暗号解読機能を有しない画像処理装置では、所定の全てのＩＣタグから第２の情報が読み取られたとしても、第２の情報を正常に出力することができないから、セキュリティのさらなる向上を図ることができる。
【００２３】
前項（６）に記載の発明によれば、前項（１）に記載の画像処理装置で第１及び第２の情報を読み取られるＩＣタグ付き原稿を作成することができる。
【００２４】
前項（７）に記載の発明によれば、第２の情報が暗号化されてＩＣタグに書き込まれた原稿を作成することができる。
【発明を実施するための最良の形態】
【００２５】
以下、この発明の一実施形態を図面に基づいて説明する。
【００２６】
図１は、この発明の一実施形態に係る画像処理装置が用いられた画像処理システムを示すブロック図である。
【００２７】
図１において、この画像処理システムは、この発明の一実施形態に係る画像処理装置１と、サーバ１００と、パーソナルコンピュータ等からなるユーザ端末２００等を備えており、これら画像処理装置１、サーバ１００、ユーザ端末２００は、ネットワーク３００を介して接続されている。
【００２８】
前記画像処理装置１は、例えばＦＡＸ機能、コピー機能、プリンタ機能、スキャン機能、およびメール送受信機能などを有するＭＦＰからなる。
【００２９】
図２は、前記画像処理装置１の概略構成を示す説明図である。この画像処理装置１は、スキャナ部８とプリンタ部１０を備えている。
【００３０】
前記スキャナ部８は、自動原稿搬送装置（ＡＤＦ）２１、スライダーユニット２５、反射光学系２６、撮像素子（ＣＣＤ）２７、画像処理部２８などを備えている。
【００３１】
前記自動原稿送り装置２１は、原稿トレイ２２に載せられた原稿６０を、プラテンガラスガラス２３上の原稿読み取り位置に搬送すると共に、読み取り後は排紙トレイ２４へと原稿を排出させる。
【００３２】
前記スライダーユニット２５には、原稿を照射する光源や、照射された原稿６０からの反射光を反射光学系２６に向かわせる反射鏡が内蔵されている。このスライダーユニット２５は、図示しない駆動装置により、水平方向（図２の左右方向）に移動可能となされている。そして、スライダーユニット２５は、原稿自動搬送装置２１が使用されない時は、プラテンガラス２３上にセットされた原稿に対して、移動しながら光源からの光を照射し、原稿自動搬送装置２１が使用される時は、所定位置に停止して、原稿自動搬送装置２１により搬送されてくる原稿６０に対して光を照射するものとなされている。
【００３３】
前記反射光学系２６は、原稿６０からの反射光を撮像素子２７に導くものである。
【００３４】
前記撮像素子２７は、原稿６０からの反射光を受領して電気信号に変換するものであり、前記画像処理部２８は、撮像素子２７により変換された電気信号に対して各種の画像処理を実施するものである。
【００３５】
前記プリンタ部１０は、感光体ドラム３１、転写ドラム３２、給紙トレイ３３、３４、定着器３５、排紙部３６などを備えている。
【００３６】
前記感光体ドラム３１は、画像処理された電気信号に対応するレーザ光を照射され現像されることにより、原稿の画像に対応する画像を形成するものであり、前記転写ドラム３２は感光体ドラム３１に形成された画像を、給紙トレイ３３、３４から供給された用紙に転写させるためのものである。そして、用紙に転写された画像は、定着器３５により定着され、排紙部３６から排紙される。
【００３７】
前記スキャナ部８におけるスライダーユニット２５には、用紙に埋設されたＩＣタグに書き込まれた情報を非接触で読み取るための読み取り装置（ＩＣタグリーダーともいう）４２が設けられている。この実施形態では、原稿６０として、図５に示すように、長さ方向（原稿読み取り方向）に並んだＩＣタグ列が幅方向にわたって８列、幅方向に並んだＩＣタグ列が長さ方向にわたって３列の、合計２４個のＩＣタグ６１が埋設されたものが用いられている。このため、前記タグリーダー４２としては、図４に示すように、原稿の幅方向において列設された８個のＩＣタグの位置に対応して、８個のタグリーダー４２が間隔をおいて列設されている。
【００３８】
また、原稿自動搬送装置２１における原稿トレイ２２とプラテンガラス２３の間には、原稿搬送路に臨んで、図２の紙面奥行き方向に８個のＩＣタグリーダー４１が配設されている。そして、原稿自動搬送装置２１により原稿６０が自動搬送される時は、ＩＣタグリーダー４１により原稿６０に埋設されたＩＣタグ内の情報が読み取られ、原稿自動搬送装置２１が用いられることなく、プラテンガラス２３に原稿６０がセットされる時は、スライダーユニット２５のＩＣタグリーダー４２により、原稿６０に埋設されたＩＣタグ内の情報が読み取られるものとなされている。
【００３９】
さらに、前記プリンタ部１０の給紙トレイ３３、３４と転写ドラム３２との間の位置には、給紙トレイ３３、３４から転写ドラム３２へと給送される印刷用紙７０（図５）に埋設された合計２４個のＩＣタグ７１に、情報を非接触で書き込むための書き込み装置（以下、ＩＣタグライターともいう）５１が、図２の紙面奥行き方向に８個配設されている。
【００４０】
なお、前記ＩＣタグ読み取り装置４１、４２及び書き込み装置５１として、ＩＣタグライターとＩＣタグリーダーが一体化されたリーダーライターモジュールを用いても良い。
【００４１】
ここで、ＩＣタグ６１（７１）は、周知のように１ミリ以下のＩＣチップを搭載したタグ（荷札）のことであり、書き込まれた情報を保存することができ、搭載されたアンテナを通じてＩＣタグリーダーやＩＣタグライターにより、情報を読み書きすることができる。
【００４２】
ＩＣタグ６１（７１）は、通常、バッテリーを搭載しておらず、ＩＣタグリーダーやＩＣタグライターが発する電波を受信した際の、電磁誘導作用により発生する電流で駆動されるようになっている。
【００４３】
図３は、図１及び図２に示した画像処理装置１の電気的構成を示すブロック図である。
【００４４】
画像処理装置１は、ＣＰＵ２、ＲＯＭ３、ＲＡＭ４、操作部５，表示部６、ネットワークインターフェイス（Ｉ／Ｆ）部７、前述したスキャナ部８、ＩＣタグ読取部９、前述したプリンタ部１０、ＩＣタグ書込部１１、暗号化部１２、復号化部１３、記憶部１４などを備えている。
【００４５】
前記ＣＰＵ２は、画像処理装置１の全体を統括的に制御するとともに、各種の判断を行う機能も備えている。ＲＯＭ３は、前記ＣＰＵ２の動作プログラムを格納するものであり、ＲＡＭ４はＣＰＵ２が動作プログラムを実行する際の作業領域を提供するものである。
【００４６】
前記操作部５は、ユーザが認証情報の入力やジョブの設定等の各種の操作指示を入力するものであり、テンキー部、スタートボタン等の各種ボタンやタッチパネル等によって構成されている。
【００４７】
前記表示部６はジョブのモード、画像処理装置１の状態、ユーザへのメッセージなどを表示するものであり、タッチパネルを備えた液晶パネル等で構成されている。
【００４８】
前記ネットワークＩ／Ｆ部７は、ネットワーク３００を介してサーバ１００やユーザ端末２００など、外部装置との間でデータを送受信するための通信部として機能する。
【００４９】
前記ＩＣタグ読取部９は、原稿６０に埋設されたＩＣタグ６１内の情報を読み取るものであり、前述したＩＣタグリーダー４１、４２を備えている。また、ＩＣタグ書込部１０は、用紙７０に埋設されたＩＣタグ７１に情報を書き込むものであり、前述したＩＣタグライター５１を備えている。
【００５０】
前記暗号化部１２は、ＩＣタグライター５１によって用紙７０のＩＣタグ７１に情報を書き込む際に、所定の情報についての暗号化を行うものであり、前記復号化部１３は、原稿６０のＩＣタグ６１から暗号化された情報を読み取った際に、それを復号化するものである。
【００５１】
前記記憶部１４は、スキャナ部８で読み取った原稿６０の画像データやその他のデータを記憶するものである。
【００５２】
この実施形態では、原稿６０のＩＣタグ６１に書き込まれた情報が、共通情報と個別情報である場合について説明する。共通情報は、比較的機密性が低く第三者に閲覧されてもかまわない情報であり、個別情報は、例えば共通情報に個人的に追加されたような情報であり、機密性が高く第三者による閲覧を禁止したい情報である。
【００５３】
このような共通情報及び個別情報はサーバ１００に蓄積されて管理される。尚、前記サーバ１００は、共通情報及び個別情報を管理するのみならず、ユーザの認証情報も蓄積されており、ユーザが画像処理装置１を使用するためにログインした際に、サーバ１００は、ユーザによって入力され画像処理装置１から送信されてきた認証情報と、サーバ１００に蓄積されている認証情報とを比較することにより、画像処理装置１の使用許可を与える認証サーバとしても機能する。
【００５４】
図５は、原稿６０のＩＣタグ６１への共通情報及び個別情報の書き込み状態を説明するための図である。図５に示すように、この実施形態では、原稿６０に縦３列横８列に埋設された合計２４個のＩＣタグのうち、最も左側の列の８個のＩＣタグ６１が第１のＩＣタグ群Ａ（太線で示す）に設定され、全てのＩＣタグ６１が第２のＩＣタグ群Ｂ（細線で示す）に設定されている。そして、第１のＩＣタグ群Ａに属する８個のＩＣタグ６１には共通情報が書き込まれ、第２のＩＣタグ群Ｂに属する２４個のＩＣタグ６１には個別情報が書き込まれている。
【００５５】
このように共通情報及び個別情報がＩＣタグ６１に書き込まれ、かつ共通情報及び個別情報がプリントされた原稿６０がコピーされる場合、画像処理装置１は、第２のＩＣタグ群Ｂに属する全てのＩＣタグ６１から個別情報が読み取られたかどうかを判断するものとなされている。そして、全てのＩＣタグ６１から個別情報が読み取られた場合には、個別情報及び共通情報のコピーを許可するものとなされている。
【００５６】
第２のＩＣタグ群Ｂに属するＩＣタグ６１のうち、個別情報を読み取れなかったＩＣタグ６１が１つでも存在した場合には、個別情報のコピーは禁止される。この場合、第１のＩＣタグ群Ａに属するＩＣタグ６１のうちの少なくとも１つのＩＣタグ６１から共通情報が読み取られたかどうかが、さらに判断され、少なくとも１つのＩＣタグ６１から共通情報が読み取られた場合には、共通情報のコピーが許可される。
【００５７】
このような構成とすることにより、例えば原稿の一部が破損して第２のＩＣタグ群Ｂに属するＩＣタグ６１の一部が欠落したような場合には、個別情報はコピー禁止となるから、第三者による機密情報の不正コピーを防止することができ、セキュリティを高めることができる。
【００５８】
一方、機密性のない共通情報については、第１のＩＣタグ群Ａに属するＩＣタグ６１の一部が欠落しても、他の少なくとも１つのＩＣタグ６１から共通情報が読み込まれると、共通情報のコピーが許可されるから、機密性のない共通情報についてまでコピーが制限される煩わしさを解消でき、使い勝手の良い画像処理装置となしうる。
【００５９】
なお、第１のＩＣタグ群Ａと第２のＩＣタグ群Ｂの分け方は、図５に例示したものに限られることはなく、任意のグループ分けが可能であり、第１のＩＣタグ群Ａと第２のＩＣタグ群Ｂの両方に属するＩＣタグ６１が存在しない分け方であっても良い。
【００６０】
図６は、原稿６０のＩＣタグ６１への共通情報及び個別情報の別の書き込み状態を説明するための図である。図６に示すように、この実施形態では、原稿（用紙）６０に埋設された合計２４個のＩＣタグ６１のそれぞれにおいて、上位ビットに共通情報が書き込まれ、下位ビットに個別情報が書き込まれている。
【００６１】
この場合、画像処理装置１は、全てのＩＣタグ６１から個別情報が読み取られたかどうかを判断し、全てのＩＣタグ６１から個別情報が読み取られた場合には、個別情報及び共通情報のコピーを許可するものとなされている。
【００６２】
一方、個別情報を読み取れなかったＩＣタグ６１が１つでも存在した場合には、個別情報のコピーは禁止される。この場合、少なくとも１つのＩＣタグ６１から共通情報が読み取られたかどうかが、さらに判断され、少なくとも１つのＩＣタグ６１から共通情報が読み取られた場合には、共通情報のコピーが許可される。
【００６３】
図６の例においても、図５で説明したものと同じ効果を得ることができる。
【００６４】
次に、図２及び図３に示した画像処理装置１を用いて原稿を作成する場合の処理を、図７のフローチャートを参照して説明する。
【００６５】
まずステップＳ１０１で、画像処理装置１がユーザによってログインされ、ステップＳ１０２で操作部５によりジョブが入力されプリント指示がなされると、ステップＳ１０３で、画像処理装置１のＣＰＵ２は、用紙７０のＩＣタグ７１にプリントデータを登録する（書き込む）指示かどうかを判断する。
【００６６】
ＩＣタグ７１にプリントデータを登録する指示でなければ（ステップＳ１０３でＮＯ）、ステップＳ１１６に進んで、給紙トレイ３３、３４から印刷用紙７０を給紙し、ステップＳ１１７でプリンタ部１０によりプリントして、処理を終了する。従って、この場合は、スキャナ部８で原稿の画像を読み取って用紙７０にコピーする通常のコピー動作が行われる。
【００６７】
ＩＣタグ７１にプリントデータを登録する指示であれば（ステップＳ１０３でＹＥＳ）、ステップＳ１０４で、共有情報が既にサーバ１００に存在しているかどうかを、サーバ１００からの情報に基づいて判断する。
【００６８】
共有情報が既にサーバ１００に存在していなければ（ステップＳ１０４でＮＯ）、ステップＳ１１２に進み、給紙トレイ３３、３４から印刷用紙７０を給紙する。そして、ステップＳ１１３で、スキャナ部８で読み込んだ画像データを共通情報とし、ステップＳ１１４で、ＩＣタグライター５１により共通情報をＩＣタグ７１に書き込んだのち、ステップＳ１１５で、前記共通情報をサーバ１００に送信して登録し、ステップＳ１１７で、共通情報を用紙７０に印刷する。
【００６９】
一方、ステップＳ１０４で、共通情報がサーバ１００に存在していれば（ステップＳ１０４でＹＥＳ）、ステップＳ１０５で、追加された個別情報あるいは新たに追加する個別情報があるかどうかを判断する。なお、追加された個別情報があるかどうかは、共通情報と個別情報とで記載形式に差を設けたり、個別情報である旨を表示させることにより判断可能である。
【００７０】
追加された個別情報も新たに追加される個別情報もなければ（ステップＳ１０５でＮＯ）、ステップＳ１１２に進み、給紙トレイ３３、３４から印刷用紙７０を給紙する。そして、ステップＳ１１３で、サーバ１００に存在する共通情報を特定し、ステップＳ１１４で、ＩＣタグライター５１により共通情報をＩＣタグ７１に書き込んだのち、ステップＳ１１５で、必要に応じて前記共通情報をサーバ１００に登録し、ステップＳ１１７で、共通情報を用紙７０に印刷する。
【００７１】
ステップＳ１０５で、追加された個別情報あるいは新たに追加される個別情報があれば（ステップＳ１０５でＹＥＳ）、ステップＳ１０６で、個別情報を分離したのち、ステップＳ１０７で、個別情報をＩＣタグ７１に書き込むかどうかを、ユーザの指示に基づいて判断する。
【００７２】
個別情報をＩＣタグ７１に書き込む場合には（ステップＳ１０７でＹＥＳ）、ステップＳ１０８で、給紙トレイ３３、３４から印刷用紙７０を給紙し、ステップＳ１０９で個別情報を暗号化する。このように、機密性の高い個別情報を暗号化して書き込むから、暗号解読機能を有しない画像処理装置では、全てのＩＣタグ６１から個別情報が読み取られたとしても、個別情報を正常に出力することができず、このため、セキュリティのさらなる向上を図ることができる。
【００７３】
次いで、ステップＳ１１０で、ＩＣタグライター５１により、用紙７０のＩＣタグ７１に共有情報及び個別情報を、それぞれのＩＣタグ群ＡおよびＢのＩＣタグ７１に分離して、あるいはそれぞれのＩＣタグ７１の異なる記憶領域に分離して書き込む。そして、ステップＳ１１１で、データをサーバに送信して保存した後、共通情報及び個別情報を用紙７０に印字し、処理を終了する。
【００７４】
こうして、用紙７０に共通情報及び個別情報が印字され、ＩＣタグ７１に共通情報及び個別情報が分離して書き込まれた原稿６０を、他のユーザがコピーする場合の画像処理装置１の処理を、図８のフローチャートを参照して説明する。
【００７５】
ステップＳ２０１で、画像処理装置１がユーザによってログインされ、ステップＳ２０２で、原稿自動搬送装置２１あるいはプラテンガラス２３上に原稿６０がセットされ、ユーザがスタートボタンを押すと、ステップＳ２０３でコピーが開始される。
【００７６】
ステップＳ２０４では、原稿の読み込みを行い、ステップＳ２０５では、ＣＰＵ２が、ＩＣタグ６１を検出したかどうかを判断する。ＩＣタグが検出されなければ（ステップＳ２０５でＮＯ）、ステップＳ２２０に進み、通常のコピーを開始し、ステップＳ２２１で原稿の読み取り画像を用紙７０にプリントする。
【００７７】
ステップＳ２０５で、ＩＣタグ６１が検出された場合には（ステップＳ２０５でＹＥＳ）、ステップＳ２０６で、ＩＣタグリーダー４１または４２によりタグ情報を読み取ったのち、ステップＳ２０７で、サーバ１００内に保存されているデータを検索する。
【００７８】
次いで、ステップＳ２０８で、ＩＣタグ６１から読み取った共通情報及び個別情報が、サーバ１００に登録されているいずれかのデータと同じであるかどうかを判断する。同じデータがなければ（ステップＳ２０８でＮＯ）、ステップＳ２１８に進み、コピー動作を停止し、ステップＳ２１９で、図９に示すように表示部６にコピーできない旨のメッセージを表示して、処理を終了する。
【００７９】
ＩＣタグ６０から読み取った共通情報及び個別情報が、サーバ１００に登録されているいずれかのデータと同じである場合は（ステップＳ２０８でＹＥＳ）、ステップＳ２０９で、ログインしたユーザが共通情報のコピーを許可されているかどうかを、サーバ１００からの認証結果に基づいて判断する。共通情報のコピーを許可されていなければ（ステップＳ２０９でＮＯ）、ステップＳ２１８に進み、コピー動作を停止し、ステップＳ２１９で、表示部６にコピーできない旨のメッセージを表示する。
【００８０】
ログインしたユーザが共通情報のコピーを許可されている場合には（ステップＳ２０９でＹＥＳ）、ステップＳ２１０で、ログインしたユーザが個別情報のコピーを許可されているかどうかを、サーバ１００からの認証結果に基づいて判断する。個別情報のコピーを許可されていなければ（ステップＳ２１０でＮＯ）、ステップＳ２１５に進み、少なくとも１つのＩＣタグ６１から共通情報を読み取ることができたかどうかを判断し、読み取ることができた場合には（ステップＳ２１５でＹＥＳ）、ステップＳ２１６で、そのＩＣタグから読み取った共通情報のデータを入手し、ステップＳ２１７で共通情報のみを用紙に印刷する。いずれのＩＣタグ６１からも共通情報を読み取ることができなかった場合には（ステップＳ２１５でＮＯ）、ステップＳ２１８に進み、コピー動作を停止し、ステップＳ２１９で、表示部６にコピーできない旨のメッセージを表示する。
【００８１】
一方、ステップＳ２１０で、ログインしたユーザが個別情報のコピーを許可されていれば（ステップＳ２１０でＹＥＳ）、ステップＳ２１１で、第２のＩＣタグ群Ｂに属する全てのＩＣタグ６１から、個別情報を読み取ることができたかどうかを判断する。できなければ（ステップＳ２１１でＮＯ）、ステップＳ２１５に進み、前述したのと同様の処理が行われる。
【００８２】
このようにこの実施形態では、各ユーザに対して共通情報及び個別情報へのアクセス権限を設定しておき、共通情報のコピーを許可されたユーザである場合にのみ、共通情報のコピーが可能となされ、個別情報のコピーを許可されたユーザである場合にのみ、個別情報のコピーが可能となされているから、さらにセキュリティを高めることができる。
【００８３】
第２のＩＣタグ群Ｂに属する全てのＩＣタグ６１から、個別情報を読み取ることができた場合には（ステップＳ２１１でＹＥＳ）、ステップＳ２１２で、個別情報の暗号を解析して復号化し、ステップＳ２１３で、ＩＣタグ６１から読み取った共通情報及び復号化された個別情報のデータを入手し、ステップＳ２１４で、共通情報及び個別情報を用紙に印刷する。
【００８４】
以上、本発明の一実施形態を説明したが、本発明は上記実施形態に限定されることはない。例えば、サーバ１００により情報管理及び認証を行うものとしたが、情報管理機能及び認証機能の少なくとも一方を、画像処理装置１に備えさせても良い。
【００８５】
また、上記実施形態では、共通情報及び個別情報をコピーする場合の処理について説明したが、コピー以外の他の出力、例えば原稿から読み取った情報を送信したり保存するする場合にも、同様の処理を行うことが可能である。
【００８６】
また、個別情報を暗号化してＩＣタグに書き込むものとしたが、暗号化しなくても良い。
【図面の簡単な説明】
【００８７】
【図１】この発明の一実施形態に係る画像処理装置が用いられた画像処理システムを示す構成図である。
【図２】同じく画像処理装置の概略構成を示す図である。
【図３】同じく画像処理装置の電気的構成を示すブロック図である。
【図４】ＩＣタグリーダーが配設されたスライダーユニットの平面図である。
【図５】ＩＣタグが埋設された原稿または印刷用紙の平面図である。
【図６】ＩＣタグのデータ構造を示す模式図である。
【図７】画像処理装置を用いて原稿を作成する場合の処理を示すフローチャートである。
【図８】ＩＣタグに共通情報及び個別情報が分離して書き込まれた原稿をコピーする場合の画像処理装置の処理を示すフローチャートである。
【図９】コピーできない旨のメッセージが表示された表示部の画面図である。
【符号の説明】
【００８８】
１            画像処理装置（ＭＦＰ）
１００        サーバ
２            ＣＰＵ
８            スキャナ部
９            ＩＣタグ読取部
１０          プリンタ部
１１          ＩＣタグ書込部
１２          暗号化部
４１、４２    ＩＣタグリーダー
５１          ＩＣタグライター
６０          原稿
６１          ＩＣタグ
７０          用紙
７１          ＩＣタグ
Ａ            第１のＩＣタグ群
Ｂ            第２のＩＣタグ群
【図１】
2007199535.tif 000003
【図２】
2007199535.tif 000004
【図３】
2007199535.tif 000005
【図４】
2007199535.tif 000006
【図５】
2007199535.tif 000007
【図６】
2007199535.tif 000008
【図７】
2007199535.tif 000009
【図８】
2007199535.tif 000010
【図９】
2007199535.tif 000011